(57)【要約】【課題】航空機の機内の給電網における停電管理方法において、停電中のバックアップ用内蔵電源をなくし、簡素な構成とする。【解決手段】本発明は、−停電を検出すること、−コンデンサ（４１）の放電時間を測定し、その継続時間の測定値と継続時間の閾値とを比較することにより、停電の継続時間を測定すること、−停電の継続時間が継続時間の閾値を超えるものである場合には、長期にわたる停電の情報を保存すること、という作業からなる、航空機の機中の停電の管理方法に関するものである。本発明はまた、その方法を実施するシステムであって、停電検出回路（２）、停電継続時間測定回路（４）、そして停電継続時間の測定値に応じて複数の信号の発信を管理するのに適した情報管理回路（３）を備えたシステムに関するものでもある。【選択図】図１
2010531774.tif 000002
【特許請求の範囲】
【請求項１】
航空機の機中の停電の管理方法であり、以下の作業、すなわち、
−停電を検出すること、
−コンデンサ（４１）の放電時間を測定し、その継続時間の測定値と継続時間の閾値とを比較することにより、停電の継続時間を測定すること、
−停電の継続時間が継続時間の閾値を超えるものである場合には、長期にわたる停電の情報を保存すること、という作業からなることを特徴とする、航空機の機中の停電の管理方法。
【請求項２】
前記コンデンサ（４１）と直列に接続したスイッチ素子（４２）のスイッチング入力端子にアクティブスイッチング信号（３２）が受信され次第、該コンデンサが充電されることを特徴とする、請求項１に記載の航空機の機中の停電の管理方法。
【請求項３】
前記停電継続時間が継続時間の閾値を下回る場合には、アクティブスイッチング信号（３２）をほとんど直ちに発信することを特徴とする、請求項２に記載の航空機の機中の停電の管理方法。
【請求項４】
前記停電継続時間が継続時間の閾値を超える場合には、保存終了信号（３４）受信時にアクティブスイッチング信号（３２）を発信することを特徴とする、請求項２または請求項３に記載の航空機の機中の停電の管理方法。
【請求項５】
前記放電時間の測定値を、コンデンサ（４１）の端子での電圧の値を基準電圧（Ｖｒｅｆ）の値と比較することにより求めることを特徴とする、請求項１〜４のいずれか一つに記載の航空機の機中の停電の管理方法。
【請求項６】
前記航空機の機中の停電管理システムであり、
−停電検出回路（２）と、
−コンデンサ（４１）の放電時間を測定し、その継続時間の測定値を継続時間の閾値と比較するのに適した停電継続時間測定回路（４）と、
−停電継続時間が継続時間の閾値を超える場合には、長期にわたる停電の情報を保存するべく、複数の信号の発信を管理するのに適した情報管理回路（３）とからなることを特徴とする、航空機の機中の停電の管理システム。
【請求項７】
前記停電継続時間測定回路には、一方を、比較器（４３）の入力端子に、他方を、スイッチ素子（４２）を介して電源（４４）に接続したコンデンサ（４１）が一つあることを特徴とする、請求項６に記載の航空機の機中の停電の管理システム。
【請求項８】
前記管理回路（３）には、
−前記停電継続時間測定回路から出力情報を受信し、
−中央処理装置に保存信号を送信し、
−その中央処理装置から保存終了信号を受信し、
−前記停電継続時間測定回路にスイッチング信号を送信するのに適しており、受信した信号に応じて信号を送信する、プログラマブル電子回路ユニット（３１）が一つあることを特徴とする、請求項６または請求項７に記載のシステム。
【請求項９】
−前記停電継続時間測定回路（４）とその管理回路（３）とを、搭載した計算機の給電カードの上に取り付け、その管理回路は中央処理装置（５）と交信するのに適したものであることを特徴とする、請求項６〜８のいずれか一つに記載の航空機の機中の停電の管理システム。
【請求項１０】
請求項６〜９のいずれか一つに記載の停電管理システムを備えていることを特徴とする航空機。
【発明の詳細な説明】
【技術分野】
【０００１】
本発明は、航空電子機器用の給電網の停電を管理するためのシステムに関するものである。このシステムにより停電が短時間のものか長期にわたるものかを判断し、停電が長期にわたるものである場合には、搭載した計算機の停止を決定をすることができる。本発明は、また、このシステムで実施される方法に関するものでもある。
【０００２】
本発明は、航空機産業の分野、そして特に、航空機の機中の給電管理の分野で幾つもの応用が可能なものである。
【背景技術】
【０００３】
航空機の機内には、複数の電源装置が存在していて、航空機に搭載した様々な機器、そして特に、搭載した計算機に電気を供給することができるようになっているのが一般的である。このような電源装置から供給される電圧は２８ボルトが一般的である。このような様々な各電源装置は、例えば、そのような各電源装置のいずれか一つが故障した場合に、相互に代替可能になっている。このような様々な電源装置は、分散給電システムにより網の目状の給電網に接続されているのが一般的である。そのようにして、航空電子機器の必要に応じて、ある電源装置から他の電源装置へと移行していくことが可能になっている。しかしながら、電源装置が入れ変わる際には、前記給電網の内部で停電が突発的に起きる可能性がある。この停電には、以下のような幾つかのタイプがある。
−いわゆる透過性の停電で、２００ミリ秒未満継続し、その給電網の挙動に関連しており、一般的に飛行中に起きるもの。
−継続が５秒未満の短時間の停電で、透過性の停電と同様に、その給電網の挙動に関連しており、飛行中に検出されるもの。
−５秒を超えて継続する長時間の停電もあり、このような長時間の停電は、航空機の保守を行っている段階で地上で発生するもので、保守要員が、航空機の幾つかの機器の修理、点検または試験のために利用する長時間の停電。
【０００４】
短時間の停電に際しては、搭載した計算機を停止させるのは、電気が供給されない一瞬のことである。しかしながら、その航空機は飛行中であり、その計算機の再起動は極めて迅速に行うことができなければならないのであって、それはつまり、給電が復旧次第、性能を発揮できなければならないということである。
【０００５】
長時間の停電に際しても、搭載した計算機を停止させるのは、電気が供給されない一瞬のことであるのは同じことである。しかしながら、この場合には、搭載した計算機は、再び電流を通すに際して、その機器の全体的な働きを点検するために、一連の試験を行う必要がある。その航空機は地上にあって保守を行っている段階であり、その計算機の再起動は、自己試験であるオートテストと呼ばれる一連の試験を行いつつ、ゆっくりと時間をかけることもできる。
【０００６】
そういうわけで、航空機内での停電に際しては、それが透過性の停電か、もしくは短時間の停電であるのか、はたまた、長時間の停電であるのかを知り、それに応じて計算機の再起動を指示する機能が重要になるのは当然である。
【０００７】
短時間の停電も透過性の停電も、計算機を早く再起動しなければならないのは同じであるので、以下の説明では同様に論じ、どちらも「短時間の停電」と呼んで区別しないことにする。
【０００８】
長時間の停電の場合には、長時間にわたる停電の情報、つまり、その停電が長時間にわたるもので、その結果として、計算機を再起動する際には、オートテストも行われるということを特定する情報が失われないようにすることが重要である。それゆえ、この長時間にわたる停電の情報を、そのシステムが認識するまで、つまり、計算機の再起動まで保存しておく必要がある。
【０００９】
実際、給電網が突然停電すると、その航空電子機器は初期化モードに移行し、時間計測機が起動される。この停電中は、その航空電子機器は、その機器に内蔵されたバックアップ用電源、例えばバッテリで作動する。このバッテリが供給できる電力には限りがあるので、電気の消費量を抑えるため、その機器の機能の幾つかのみに電気を供給する。その場合、その機器は、省エネルギーモードで作動する。
【００１０】
このような幾つかの機能のうちの一つが、停電終了までの時間の経過を測定することである。そういうわけで、時間計測機（もしくは英語でいうタイマ）には、停電の間ずっと、つまり約５秒間、内蔵バッテリが電気を供給できなければならない。５秒経過する前に電気の供給が復旧した場合には、計算機の再起動は特急手順（オートテストなし）で行われ、その航空電子機器は給電網に対して復帰し、時間計測機は初期化されて、内蔵バッテリは充電される。
【００１１】
５秒経過する前に電気の供給が復旧しない場合には、長時間にわたる停電の情報を不揮発性メモリに保存する。このような長時間にわたる停電の情報を保存しておけば、その長時間にわたる停電の間はずっと、確実にその計算機を停止させることができるので、その機器の電気の消費量をいくらか減らすことができる。しかしながら、このようにして、長時間にわたる停電の情報を不揮発性メモリに保存しておくには、前記不揮発性メモリ並びにその保存を管理するプログラマブル電子回路ユニットが恒常的に通電している必要がある。ところが、このプログラマブル電子回路ユニットは、電気エネルギーを割と多く消費する。
【００１２】
その場合、当然ながら、実際の手順においては、時間計測機やプログラマブル電子回路ユニットのような、その機器の機能の幾つかのものへの給電は、５秒間は内蔵バッテリで行わなくてはならないので、その結果、その内蔵バッテリの容量に対して電力の消費量が割と大きくなってしまう。さらに、この内蔵バッテリがかさばるというのも無視できず、その容量を大きくすれば、その分、更にかさばるものになってしまう。
【００１３】
また、先行技術による給電網停電管理システムは、エネルギー管理及び切り換え（英語でスイッチングと呼ばれる）の点で、構成が複雑である。
【発明の概要】
【発明が解決しようとする課題】
【００１４】
本発明は、まさに、以上に説明した技術の欠点、すなわち、停電中のバックアップ用内蔵電源を必要とすること、そして、この内蔵電源のかさばりと電力消費の問題、さらには、関係する構成が複雑である問題などを改善することを目指すものである。そのために、本発明で提案するシステム及び方法は、コンデンサの放電を通して停電の継続時間を測定できるというものである。この放電中は、コンデンサに電気を供給する必要はないので、停電している間はずっと、計算機の電源を停止させることができる。このようにして、コンデンサの放電によって継続時間を測定することにより、内蔵電源は一切なしで済ますことができる。
【課題を解決するための手段】
【００１５】
更に厳密に言うと、本発明は、航空機の機中の停電の管理方法に関するものであり、その方法の特徴は、以下のような作業からなることである。
−停電を検出すること、
−コンデンサの放電時間を測定し、その継続時間の測定値と継続時間の閾値とを比較することにより、停電の継続時間を測定すること、
−停電の継続時間が継続時間の閾値を超えるものである場合には、長期にわたる停電の情報を保存すること。
【００１６】
本発明に係る方法にはまた、以下の特徴のうちの一つまたは幾つかが含まれていてもよい。
−コンデンサと直列に接続したスイッチ素子のスイッチング入力端子にアクティブスイッチング信号が受信され次第、そのコンデンサが充電されること。
−停電継続時間が継続時間の閾値を下回る場合には、アクティブスイッチング信号をほとんど直ちに発信すること。
−停電継続時間が継続時間の閾値を超える場合には、保存終了信号受信時にアクティブスイッチング信号を発信すること。
−放電時間の測定値を、コンデンサの端子での電圧の値を基準電圧の値と比較することにより求めること。
【００１７】
本発明は、また、航空機の機中の停電管理システムに関するものでもある。
【００１８】
航空機の機中の停電管理システムであって、
−停電検出回路と、
−コンデンサの放電時間を測定し、その継続時間の測定値を継続時間の閾値と比較するのに適した停電継続時間測定回路と、
−停電継続時間が継続時間の閾値を超える場合には、長期にわたる停電の情報を保存するべく、複数の信号の発信を管理するのに適した情報管理回路とからなることを特徴とするシステム。
【００１９】
本発明に係るシステムには以下の特徴の一つまたは幾つかが備わっていてもよい。
−前記停電継続時間測定回路には、一方を、比較器の入力端子に、他方を、スイッチ素子を介して補助電源に接続したコンデンサが一つあること。
−その管理回路には、前記停電継続時間測定回路から出力情報を受信し、中央処理装置に保存信号を送信し、その中央処理装置から保存終了信号を受信し、前記停電継続時間測定回路にスイッチング信号を送信するのに適しており、受信した信号に応じて信号を送信する、プログラマブル電子回路ユニットが一つあること。
−前記停電継続時間測定回路とその管理回路とを、搭載した計算機の給電カードの上に取り付け、その管理回路は中央処理装置と交信するのに適したものであること。
【００２０】
本発明は、また、以上に説明したシステムを備えた航空機に関するものでもある。
【図面の簡単な説明】
【００２１】
【図１】本発明に係る電子回路の概略を示す図であって、内蔵電源なしで停電を管理する。
【図２】図１の電子回路の内部で遭遇する様々な信号を時間の経過とともに示す図。
【発明を実施するための形態】
【００２２】
本発明で提案するシステム及び方法は、給電網で停電が発生するとすぐに、その停電の継続時間の測定と、必要なら、長期にわたる停電の情報の保存ができるようにしつつ、計算機を完全に停止させることができるように、航空機の機中の停電の管理ができるようにするものである。
【００２３】
本発明に係る航空機の機中の停電の管理方法では、停電検出時に、停電継続時間を測定することを提案している。その停電継続時間の測定値は、コンデンサの放電時間を測定して得られる。そのコンデンサの放電時間は、そのコンデンサの端子での電圧値に基づき測定される。この電圧値を、５秒の放電継続時間に対応する基準電圧と比較する。電圧と電圧を比較するのは、停電継続時間を継続時間の閾値と比較することに相当し、その継続時間の閾値を、例えば５秒とする。
【００２４】
そのコンデンサの電圧の値がその基準電圧を超える場合は、その停電が短いということになる。逆に、そのコンデンサの電圧の値がその基準電圧を下回る場合は、その停電が長いということになる。
【００２５】
５秒未満の継続時間が検出された場合には、そのコンデンサを直ちに充電し、新たな停電が発生したら、その継続時間を測定できるようにする。
【００２６】
５秒を超える継続時間が検出された場合には、長期にわたる停電の情報を、後述するように、保存することとする。そのコンデンサの充電は、保存終了の指示を受信した後にのみ、行われるものとする。
【００２７】
本発明に係る方法を実施できる電子回路の一例を図１に示す。この電子回路を、航空機に搭載した計算機の給電カード１に取り付ける。この電子回路には、停電検出回路２がある。この停電検出回路２は、先行技術による従来のものなので、本出願において更に詳細に説明することは控える。この停電検出回路２には、給電網からの入力端子２１があるので、その給電網から２８ボルトの電圧を受ける。この停電検出回路２には、アース接続をした入力端子２２もある。
【００２８】
この回路２は、その入力端子２１に、２８Ｖの電圧がかかっていることを検出するのに適したものである。２８Ｖの電圧が全く検出されない場合には、給電網内で停電が発生しているということになる。言い換えると、停電検出回路２は停電を検出しているということになる。停電終了が検出されると、その停電検出回路は情報管理回路３に停電情報を送る。この情報管理回路３には、複数の機能を統合するプログラマブル電子回路ユニット３１がある。このプログラマブル電子回路ユニット３１は、様々な情報信号を受信し、受信した信号に応じて、指示信号を発信するのに適している。このプログラマブル電子回路ユニットは、論理電子回路ユニットであり、そこで送受信する論理信号には、アクティブのものも、インアクティブのものもありうる。論理信号のもち得る値は、二進法の０または１である。以下の説明においては、アクティブ信号の論理値は二進法の１で、インアクティブ信号の論理値は二進法の０であると考えることにするが、当然ながらそのような二進法の値は、反転させることもできる。
【００２９】
そのプログラマブル電子回路ユニット３１は、スイッチング出力３２によって、停電継続時間測定回路４とつながっている。
【００３０】
この停電継続時間測定回路４には、コンデンサ４１があり、それは、電気エネルギーを充電し、後になって、その電気エネルギーを放電するのに適したものである。そのため、コンデンサ４１は、例えば補助電源４４（Ｖａｕｘ）のような電源に直列に接続されている。この補助電源４４の役割は、給電網が切断されていないときに、ある条件のもとで、コンデンサの充電を行うことである。コンデンサを充電する条件と放電する条件とは、後に述べるように規定することとする。
【００３１】
コンデンサ４１は、スイッチ素子４２を介してこの補助電源４４に接続されており、そのスイッチ素子４２はプログラマブル電子回路ユニット３１が伝送するスイッチング信号３２（ＣＯＭ）の作用で作動する。コンデンサ４１は、また、電圧比較器４３にも直接接続されている。
【００３２】
この電圧比較器４３は、その第一入力端子４３１で基準電圧Ｖｒｅｆを受け、第二入力端子４３２でコンデンサ４１の放電電圧を受けるのであり、これはコンデンサの残留電圧とも呼ばれる。そのようにして、電圧比較器４３は、コンデンサ４１の端子での電圧を基準電圧Ｖｒｅｆと比較するのである。
【００３３】
比較器４３は出力端子４３３を備え、この出力端子はプログラマブル電子回路ユニット３１の入力端子とつながっている。この出力端子４３３が送り出す情報信号３３（ＬＥＶＥＬ信号）は、両入力電圧の比較結果に対応している。比較器４３の出力端子で発信される信号は、二進法の信号であり、それは、アクティブのものにもなりうるし、あるいは、インアクティブのものともなりうる。コンデンサの電圧が基準電圧を超えている場合には、そのＬＥＶＥＬ信号はインアクティブ（信号が０になっている）である。逆に、コンデンサの電圧が基準電圧を下回る場合には、そのＬＥＶＥＬ信号はアクティブ（信号が１になっている）である。このＬＥＶＥＬ信号３３が、プログラマブル電子回路ユニット３１の入力端子に送られる。この信号に応じて、プログラマブル電子回路ユニット３１は、直ちにか後でかは場合によるが、アクティブスイッチング信号ＣＯＭを停電継続時間測定回路４のスイッチ素子４２に送る。
【００３４】
より厳密には、停電の後、停電検出回路２で、２８ボルトの機能電圧が存在することが検出されると（それは停電終了ということになるので）、すぐさま、プログラマブル電子回路ユニット３１は、そのスイッチング出力３２を強制的に０にする。スイッチ素子４２は開放されたままになっている。そのスイッチ素子が開放されている限りは、そのコンデンサ４１は放電する。そこで、コンデンサ４１の端子での電圧を、比較器４３により、基準電圧Ｖｒｅｆと比較する。この基準電圧Ｖｒｅｆは、例えば１ボルトでもよい。
【００３５】
そのコンデンサの端子での電圧が基準電圧Ｖｒｅｆを超える場合は、停電は短かった、つまり、５秒未満と考える。この場合は、比較器４３の出力端子４３３で得られるＬＥＶＥＬ信号は０になる。プログラマブル電子回路ユニット３１は、このＬＥＶＥＬ信号を０で受信すると、搭載した計算機の、ＣＰＵカード５と呼ばれる、中央処理装置に、長期停電信号３４、（ＬＰＦ信号、英語でＬｏｎｇ  Ｐｏｗｅｒ  Ｆａｉｌｕｒｅの略）を０で送る。ＬＰＦ信号のこのインアクティブ状態は、停電が短かったことを意味する。このＬＰＦ信号は（アクティブであれ、インアクティブであれ）、その計算機を再初期化することで、つまり、計算機のリセット・キーを働かせることで得られる。ＬＥＶＥＬ信号が０になっているときは、プログラマブル電子回路ユニット３１は、スイッチング信号ＣＯＭを１で発信する。スイッチング信号ＣＯＭが１になっているときは、スイッチ素子４２は閉じられる。その場合、コンデンサ４１を補助電源４４で充電する。コンデンサが充電され次第、システムは、次の停電の継続時間を測定する準備ができた状態になる。
【００３６】
本発明の一つの実施態様においては、そのコンデンサの容量は、１０マイクロファラッド程度である。実際、コンデンサの容量は、測定対象の停電継続時間に応じて選ばれるものである。例えば５秒間なら、１０マイクロファラッドのコンデンサを使える。
【００３７】
コンデンサの端子での電圧が基準電圧Ｖｒｅｆを下回る場合は、その停電は長かったと考える。この場合は、比較器４３の出力端子４３３で得られるＬＥＶＥＬ信号は１になっている。ＬＥＶＥＬ信号を１で受信すると、プログラマブル電子回路ユニット３１は、ＣＰＵカード５に、長期停電信号ＬＰＦを１で送信する。このアクティブな、長期停電信号ＬＰＦは、停電が長かったことを示す。この時間中は、プログラマブル電子回路ユニット３１のスイッチング信号ＣＯＭはインアクティブなままである。それゆえ、コンデンサ４１は依然として放電している。新たに停電が発生しても、コンデンサは充電されないので、そのシステムの表示は相変わらず、長期停電についてのものになる。言い換えると、停電継続時間測定回路４が測定を行えるのは、前記長期停電が認識された後の場合に限られるので、その長期にわたる停電の情報は、停電継続時間測定回路４に保存されているということである。
【００３８】
その長期にわたる停電の情報をＣＰＵカードが認識した場合には、そのＣＰＵカードから、プログラマブル電子回路ユニット３１に向けて、長期停電終了信号３５、ＲＬＰＦ（英語でＲｅｌｏａｄ  Ｌｏｎｇ  Ｐｏｗｅｒ  Ｆａｉｌｕｒｅ）が送信される。このＲＬＰＦ信号は、プログラマブル電子回路ユニット３１に対して、長期にわたる停電の情報が認識されたこと、そして、オートテストが実行されたことを意味する。したがって、この長期停電終了信号ＲＬＰＦは、その長期にわたる停電の情報の保存が終了し、前記長期にわたる停電の情報は消去可能であるということを意味する。この長期停電終了信号ＲＬＰＦを受信すると、プログラマブル電子回路ユニット３１はスイッチング信号ＣＯＭを１で発信する。このスイッチング信号ＣＯＭを受信すると、スイッチ素子４２は閉じられ、それにより、コンデンサ４１は補助電源４４で充電を受けられる。そこで、システムは改めて、次の停電を測定する準備が整った状態になる。
【００３９】
そのようにして、給電がある限りは、コンデンサは充電され、その後も充電されたままでいる。停電が起きると、コンデンサの給電は中断され、コンデンサは放電する。コンデンサの放電が、どのくらい続くかで、停電継続時間についての情報が得られる。停電が短期なら、コンデンサの充電は、停電終了後、ほとんど直ちに行われる。停電が長期なら、その長期にわたる停電の情報は、停電継続時間測定回路自体に保存される。ついで、ＣＰＵカード５の中央処理装置からオートテストが行われた旨の信号が来るとすぐに、コンデンサが、また充電される。
【００４０】
このようにして、ＣＰＵカード５の中央処理装置は、停電が長期であることを知り、かつ計算機を再起動する際にはオートテストを行うべき機能を備えているのである。実際、ＬＰＦのアクティブ信号を受信したということは、停電が長いということである。それゆえ、計算機の再起動は、保守の手順が終わった後に、必要なオートテストとともに、行ってよい。ＬＰＦ信号を受け取っていないということ（つまり、ＬＰＦ信号がインアクティブであるということ）は、停電していないということか、短い停電なので、給電復旧後できるだけ早く、計算機を再起動しなければならないということを意味する。
【００４１】
長期停電が続いている間はずっと、停電継続時間測定回路は開かれ、コンデンサは放電している。したがって、この時間中は、他に停電の測定はあり得ない。長期停電の後に停電継続時間測定回路が閉じられるのは、その長期停電終了信号ＲＬＰＦを受信した後に限られるのであって、それにより、次の停電まで、コンデンサを充電することができる。
【００４２】
図２に示したのは、長期停電の際と短期停電の際の、図１の回路の様々な信号を時間の経過とともに示す各波形の一例である。その時間経過付き記録の波形１は、給電網の電圧を示し、波形２は、プログラマブル電子回路ユニットの給電電圧を示し、波形３は、計算機の再初期化のパルスを示し、波形４は、長期停電から解放された信号、長期停電終了信号ＲＬＰＦを示し、波形５は、比較器からの出力信号の比較情報信号ＬＥＶＥＬを示し、そして、波形６は、スイッチング信号ＣＯＭを示す。
【００４３】
このような６本の波形のそれぞれが、短期の停電（時間ｔ０とｔ３の間）の後、（時間ｔ３とｔ６の間の）長期停電の間とその後、そして停電解放後（時間ｔ６から）、つまり、中央処理装置が長期停電情報保存の終了指示を送り返した後の場合の信号一つを示す。
【００４４】
短期停電後の時間ｔ０で、給電網電圧（波形１）は、再び上昇を始め、２８ボルトで頭打ち（時間ｔ１に至って）になる。プログラマブル電子回路ユニット（波形２）は停電終了直後に、２８ボルトからの給電電圧を回復する。プログラマブル電子回路ユニットは、その時点から電圧２８ボルトの給電を再び受ける。暫くたってから、時間ｔ２で、計算機が初期化される（波形３）が、それはつまり、計算機が再起動するということである。ＲＬＰＦ信号は、ＬＥＶＥＬ信号と同様にインアクティブである。スイッチング信号ＣＯＭ（波形６）がアクティブ状態に移行するのは時間ｔ２の時点であり、それはつまり、計算機が初期化される時点ということである。
【００４５】
時間ｔ３で長期停電が始まる。給電網電圧（波形１）は０にまで低下する。同様に、やや時間的ずれはあるが、プログラマブル電子回路ユニット（波形２）の給電電圧は０にまで低下する。時間の経過とともに示す図の他の波形すべてが同様に０になる。
【００４６】
時間ｔ４で、長期停電が終わる。給電網電圧は再び２８ボルトになる。若干の時間的ずれはあるが、プログラマブル電子回路ユニットの給電電圧は改めてアクティブレベルに復帰する。暫くの後、時間ｔ５で、計算機が初期化される（波形３）。プログラマブル電子回路ユニットが再び給電を受ける時間ｔ４の時点で、ＬＥＶＥＬ信号はアクティブ状態に移行する。ＬＥＶＥＬ信号がアクティブである限りは、スイッチング信号ＣＯＭは０になっている。時間ｔ６の時点で、ＲＬＰＦ信号が送信される。その時点からＬＥＶＥＬ信号は再び０になり、スイッチング信号ＣＯＭは１になる。
【００４７】
本発明においては、プログラマブル電子回路ユニットの選択は、できれば、給電上昇期はずっと、出力が低レベルもしくは高レベルで、給電の上昇の段階において、スイッチング信号を通してスイッチ素子に指示が行ったりしない状態を確保できるようなものを選ぶのがよい。
【００４８】
停電解放後、つまり、中央処理装置が長期にわたる停電の情報の保存終了の信号ＲＬＰＦを送信した後の場合に、給電網電圧は２８ボルトで一定する。プログラマブル電子回路ユニットの給電電圧も高レベルになっている。計算機の再初期化信号ｒｅｓｅｔは１になっていて、ということは、計算機は通電しており正確に作動しているということになる。ＲＬＰＦ信号はＬＥＶＥＬ信号と同様に再び０になる。スイッチング信号ＣＯＭは、依然として１である。
【００４９】
以上のことからわかるように、本発明に係るシステムのプログラマブル電子回路ユニットは、カウンタなしの、単純な電子回路ユニットでよい。それは例えば、先行技術による省エネルギー型電子回路ユニットに比べても比較的安く、信頼性の高い給電シーケンサのような現代的な電子回路ユニットでよい。
【００５０】
さらに、本発明を用いれば、図１の電子回路を取り付ける給電カードは、比較的小さくて、余り重くないものになる。この給電カードに必要な給電電流、そして特に起動電流は、先行技術によるものと比べて少なくていいが、より小さな容量でエネルギーを備蓄しているからである。
【００５１】
さらに、本発明に係るシステムでは、不揮発性メモリは一切不要であり、省エネルギーモードの管理も一切しなくてよいので、構成を単純にできる。なぜなら、本発明では、長期の情報の保存は、メモリに記憶されるのではなく、放電期のコンデンサが独自に内部で保存するからである。
【符号の説明】
【００５２】
１  給電カード
２  停電検出回路
３  情報管理回路
４  停電継続時間測定回路
５  ＣＰＵカード
３１  プログラマブル電子回路ユニット
４１  コンデンサ
４２  スイッチ素子
４３  比較器
４４  補助電源
Ｖａｕｘ      補助電源の電圧
Ｖｒｅｆ      基準電圧
ＣＯＭ        スイッチング信号
ＬＰＦ        長期停電信号
ＲＬＰＦ      長期停電終了信号
ＬＥＶＥＬ    比較情報信号
【図１】
2010531774.tif 000003
【図２】
2010531774.tif 000004
【国際調査報告】
2010531774.tif 000005
2010531774.tif 000006
2010531774.tif 000007
2010531774.tif 000008